【事件の表示】
　特許第２９７９２７５号「液体洗浄剤組成物」の請求項１ないし３に係る特許に対する特許異議の申立てについて、次のとおり決定する。
【結　論】
　訂正を認める。
　特許第２９７９２７５号の請求項１ないし３に係る特許を維持する。
【理　由】
Ｉ．手続の経緯
　本件特許第２９７９２７５号の請求項１ないし３に係る発明は、平成４年７月１７日に出願され、平成１１年９月１７日にその特許権の設定登録がされ、その後、プロクター・アンド・ギャンブル・ファー・イースト・インク及びライオン株式会社より、特許異議の申立てがされ、取消理由が通知され、その指定期間内である平成１２年１２月２５日に訂正請求がされたものである。
II．訂正の適否についての判断
　１．訂正の内容
　ア．訂正事項ａ
　特許請求の範囲の請求項１の記載について、「液体洗浄剤組成物。」とあるのを「スポンジにつけて使用する台所用液体洗浄剤組成物。」と訂正する。
　イ．訂正事項ｂ
　特許請求の範囲の請求項３の記載について、「（ａ）界面活性剤」とあるのを「（ａ）（ｉ）ポリオキシエチレン（平均付加モル数＝２〜５）アルキル又はアルケニル（Ｃ１０〜Ｃ１８）エーテル硫酸塩と、炭素数１０〜１８のアルキル基又はアルケニル基を有する第３級アミンオキサイドとの組み合わせ、および（ｉｉ）直鎖アルキル又はアルケニル（Ｃ８〜Ｃ１８）ベンゼンスルホン酸塩と、ポリオキシエチレン（平均付加モル数＝２〜５）アルキル又はアルケニル（Ｃ１０〜Ｃ１８）エーテル硫酸塩と、脂肪酸（Ｃ１０〜Ｃ１８）ジエタノールアミドとの組み合わせ、から選ばれた界面活性剤」と訂正する。
　ウ．訂正事項ｃ
　段落【０００６】の記載について、「液体洗浄剤組成物を提供するものである。」とあるのを「スポンジにつけて使用する台所用液体洗浄剤組成物を提供するものである。」と訂正する。
　２．訂正の適否、新規事項の有無及び拡張・変更の存否
　ア．訂正事項ａは、「液体洗浄剤組成物。」を「スポンジにつけて使用する台所用液体洗浄剤組成物。」と訂正するものであるから、特許請求の範囲の減縮を目的とする訂正に該当する。
　イ．訂正事項ｂは、界面活性剤を限定するものであるから、特許請求の範囲の減縮を目的とする訂正に該当する。
　ウ．訂正事項ｃは、訂正事項ａの訂正に伴い特許請求の範囲と不整合となる明細書の記載を整合させるための訂正であるから、明りょうでない記載の釈明を目的とする訂正に該当する。
　そして、上記訂正事項ａないし訂正事項ｃは、特許明細書の段落【０００１】及び【０００８】〜【００１１】、【００３３】〜【００３６】に記載された事項の範囲内のものであって、かつ、実質上特許請求の範囲を拡張し、又は変更するものではない。
　３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
III．特許異議申立てについて
　１．本件発明
　上記II．３に記載されたとおり、上記訂正が認められるから、訂正後の本件の請求項１ないし３に係る発明（以下、「本件発明１ないし３」という。）は、訂正明細書の特許請求の範囲の請求項１ないし３に記載された次のとおりのものである。
「【請求項１】（ａ）界面活性剤、
（ｂ）（ｂ−１）次の一般式（１）で表わされる構造を有し、融点３０℃以上の化合物
【化１】
〔式中、Ｒ１は炭素数１５〜２３のアルキル基又はアルケニル基を示し、Ａは炭素数１６〜２４の脂肪族アシル基又は水素原子を示し、ｎは１〜３の数を示す〕
（ｂ−２）次の一般式（２）で表わされる構造を有し、融点３０℃以上の化合物
【化２】
〔式中、Ｒ１は炭素数１５〜２３のアルキル基又はアルケニル基を示し、Ｂは−ＣＨ２ＣＨ２ＯＨ、−ＣＨ２ＣＨ（ＣＨ３）ＯＨ、又は−ＣＨ２ＣＨ２ＣＨ２ＯＨを示す〕
（ｂ−３）グリセリン、ポリグリセリン（縮合度２〜１０）、ソルビトール、ペンタエリスリトール、グルコース、フルクトース、マルトース及びスクロースから選ばれる水酸基含有化合物と炭素数１６〜２４の長鎖飽和脂肪酸との部分エステルであって、３０℃以上の融点を有する化合物から選ばれる一種又は二種以上のパール化剤、及び
（ｃ）粘度調整剤を含有し、
外観が不透明で、液温２０℃における粘度が２００〜４０００ｃｐｓ、ブルックフィールド降伏値が５〜１００ｐである、スポンジにつけて使用する台所用液体洗浄剤組成物。
【請求項２】成分（ｂ）が、グリセリンと炭素数１６〜２４の長鎖飽和脂肪酸との部分エステルであって、３０℃以上の融点を有する化合物である請求項１記載の液体洗浄剤組成物。
【請求項３】（ａ）（ｉ）ポリオキシエチレン（平均付加モル数＝２〜５）アルキル又はアルケニル（Ｃ１０〜Ｃ１８）エーテル硫酸塩と、炭素数１０〜１８のアルキル基又はアルケニル基を有する第３級アミンオキサイドとの組み合わせ、および（ｉｉ）直鎖アルキル又はアルケニル（Ｃ８〜Ｃ１８）ベンゼンスルホン酸塩と、ポリオキシエチレン（平均付加モル数＝２〜５）アルキル又はアルケニル（Ｃ１０〜Ｃ１８）エーテル硫酸塩と、脂肪酸（Ｃ１０〜Ｃ１８）ジエタノールアミドとの組み合わせ、から選ばれた界面活性剤１〜４０重量％、（ｂ）パール化剤０．５〜２０重量％、及び（ｃ）粘度調整剤０．１〜１０重量％を含有し、（ｂ）／（ａ）が重量比で０．０５〜１であり、外観が不透明で、液温２０℃における粘度が２００〜４０００ｃｐｓ、ブルックフィールド降伏値が５〜１００ｐである請求項１記載の液体洗浄剤組成物。」
　２．異議申立理由の概要
　異議申立人プロクター・アンド・ギャンブル・ファー・イースト・インク及びライオン株式会社の申立ての理由の概要は、次の（１）、（２）のとおりである。
　（１）訂正前の請求項１あるいは３に係る発明は、刊行物１ないし４に記載された発明であるから、訂正前の請求項１あるいは３の発明に係る特許は、特許法第２９条第１項の規定に違反してされたものである。
　（２）訂正前の請求項１ないし３に係る発明は、刊行物２ないし６に記載された発明に基づいて当業者が容易に発明をすることができたものであるから、訂正前の請求項１ないし３の発明に係る特許は、特許法第２９条第２項の規定に違反してされたものである。
　［刊行物等］
　刊行物１：米国特許第５，１０４，６４５号明細書（異議申立人プロクター・アンド・ギャンブル・ファー・イースト・インクの甲第１号証）
　刊行物２：特開平２−１６６１９６号公報（異議申立人ライオン株式会社の甲第１号証）
　刊行物３：特開昭６１−１４０５１５号公報（異議申立人ライオン株式会社の甲第２号証）
　刊行物４：特開平２−１６０７１２号公報（異議申立人ライオン株式会社の甲第３号証）
　刊行物５：特開昭５７−７４３９６号公報（異議申立人ライオン株式会社の甲第５号証）
　刊行物６：特開平４−２９９１３号公報（異議申立人ライオン株式会社の甲第６号証）
　実験成績証明書：実験成績証明書（異議申立人ライオン株式会社の甲第４号証）
　３．刊行物等に記載された事項
　刊行物１（米国特許第５，１０４，６４５号明細書）には、「ふけとりシャンプー組成物」の発明が記載され、第１３、１４欄の実施例の表には、アンモニウムラウレスサルフェート（界面活性剤）、エチレングリコールジステアレート及びココナツモノエタノールアミド（パール化剤に対応）、ポリエチレングリコール（減粘剤）を含む組成物が記載されている。
　刊行物２（特開平２−１６６１９６号公報）には、第２表の実施例７として、「ポリオキシエチレンラウリルエーテル硫酸ナトリウム（平均Ｅ．Ｏ．　３モル）１５％、ヤシ油脂肪酸アミドプロピルベタイン５％、２−メチル−２，４−ペンタンジオール４％、ヤシ油脂肪酸ジエタノールアミド３％、エチレングリコールジステアレート１％、・・・、精製水　残、計１００％」のシャンプー組成物が記載され、「本発明の液状洗浄剤組成物は、シャンプー組成物、食器用洗浄剤、液体スキンクレンザーなどとして使用される」（第４頁左下欄１９行〜同頁右下欄１行）と記載されている。
　刊行物３（特開昭６１−１４０５１５号公報）には、
「１．（ａ）パール化剤０．１〜１０重量％と、
（ｂ）水溶性塩と、
（ｃ）・・・ペプチド類０．０５〜１０重量％とを
それぞれ含有することを特徴とするシャンプー組成物。
　２．パール化剤が脂肪酸の炭素数１４〜２４のエチレングリコール脂肪酸エステルである特許請求の範囲第１項記載のシャンプー組成物。」（特許請求の範囲）と記載されている。
　刊行物４（特開平２−１６０７１２号公報）には、コンディショニングシャンプーに関する発明が記載され、「本発明のシャンプーは、・・・パール剤・・・などを適宜配合することができる。」（第３頁右上欄７〜１３行）、第４頁第１表の本発明品３として、成分（８）ジステアリン酸エチレングリコールを１．５％含有する組成物が記載されている。
　刊行物５（特開昭５７−７４３９６号公報）には、
「下記一般式（Ｉ）で表わされるアニオン界面活性剤３．０ないし３０．０重量％と、下記一般式（II）で表わされるエチレングリコール脂肪酸エステル０．１ないし１０．０重量％と、下記一般式（III）で表わされる化合物０．１ないし１０．０重量％とを含有することを特徴とするシャンプー組成物。（一般式（Ｉ）ないし(III)を省略する。）」（特許請求の範囲）と記載されている。
　刊行物６（特開平４−２９９１３号公報）には、パール光沢付与剤として、「（ｂ）下記式（２）（式（２）を省略）（式中、Ｒ３はパルミチン酸残基又はステアリン酸残基を示す）で表される脂肪族モノグリセライド」（特許請求の範囲）が記載されている。
　実験成績証明書（異議申立人ライオン株式会社の甲第４号証）は、刊行物２ないし４記載のそれぞれの実施例の組成に従って液体洗浄剤組成物を調製し、透明度、２０℃における粘度及びブルックフィールド降伏値を測定したとする証明書である。
４．対比・判断
　（１）特許法第２９条第１項について
　［本件発明１について］
　本件発明１は、スポンジに液を取った時に液がすぐにしみ込まず、スポンジ上にある程度保持され、更に液が不透明な外観を呈している為、スクイズ量を視認し易く、使いすぎることがないようにした経済的な台所用液体洗浄剤組成物であり、界面活性剤にパール化剤及び粘度調製剤を配合し、その粘度だけではなく、ブルックフィールド降伏値が一定の範囲となるようにしたものである。
　そこで、本件発明１と刊行物１ないし４に記載された発明とを、次のア．〜エ．で対比・判断する。
　ア．刊行物１に記載された発明は、ふけとりシャンプー組成物の発明であって、本件発明１のような、スポンジにつけて使用する台所用液体洗浄剤組成物ではないし、また、シャンプーを台所用として用いることが、自明な事項ともいえない。
　したがって、本件発明１は、刊行物１に記載された発明とはいえない。
　なお、異議申立人プロクター・アンド・ギャンブル・ファー・イースト・インクは、洗浄剤組成が一致すれば、その組成物の不透明性、粘度、ブルックフィールド降伏値等の物性が重複することは自明であると主張しているが、洗浄剤組成に応じて諸物性が一義的に定まるものではなく、組成物の調製手段のわずかな違いによって多様なものができるというのが自然であるから、刊行物１に記載された洗浄剤組成物の不透明性、粘度、ブルックフィールド降伏値が、本件発明１のものと一致するとは直ちにいえるものではない。
　イ．刊行物２には、第２表の実施例７として、ポリオキシエチレンラウリルエーテル硫酸ナトリウム（平均Ｅ．Ｏ．　３モル）１５％、ヤシ油脂肪酸アミドプロピルベタイン５％、２−メチル−２，４−ペンタンジオール４％、エチレングリコールジステアレート１％、・・・、精製水　残、計１００％のシャンプー組成物が記載され、「本発明の液状洗浄剤組成物は、シャンプー組成物、食器用洗浄剤、液体スキンクレンザーなどとして使用される」（第４頁左下欄１９行〜同頁右下欄１行）と記載されている。
　ここで、エチレングリコールジステアレートは本件発明１の（ｂ−１）の化合物に相当するし、また、食器洗浄剤と台所用液体洗浄剤を示唆する記載もある。そして、実験成績証明書において、刊行物２記載の実施例７の組成に従って液体洗浄剤組成物を調製し、透明度、２０℃における粘度、ブルックフィールド降伏値を測定したところ、本件発明１で規定する範囲であったとしている。
　ところで、本件発明１に相当する液体洗浄剤組成物である実施例７記載のものは、食器用洗浄剤ではなく、シャンプーであるから、本件発明１のような、スポンジにつけて使用する台所用液体洗浄剤組成物ではないし、また、シャンプーを台所用として用いることが、自明な事項ともいえない。
　したがって、本件発明１は、刊行物２に記載された発明ではない。
　ウ．刊行物３には、パール化剤が脂肪酸の炭素数１４〜２４のエチレングリコール脂肪酸エステルであるシャンプー組成物が記載されているのみで、スポンジにつけて使用する台所用液体洗浄剤として用いることについての記載も示唆もない。
　したがって、本件発明１は、刊行物３に記載された発明ではない。
　エ．刊行物４には、パール化剤であるジステアリン酸エチレングルコールを含有するコンディショニングシャンプーに関する発明が記載されているにみで、スポンジにつけて使用する台所用液体洗浄剤として用いることについての記載も示唆もない。
　したがって、本件発明１は、刊行物４に記載された発明ではない。
　［本件発明３について］
　本件発明３は、本件発明１について、更に（ａ）界面活性剤を特定すると共に、（ａ）〜（ｃ）成分の配合割合を限定するものであるから、本件発明１と同じことがいえる。
　したがって、本件発明３は、刊行物１ないし４に記載された発明とはいえない。
　（２）特許法第２９条第２項について
　［本件発明１について］
　本件発明１と刊行物２に記載された発明とを対比する。
　刊行物２の実施例７には、（ａ）界面活性剤、（ｂ−１）エチレングリコールジステアレート、（ｃ）２−メチル−２，４−ペンタンジオール（粘度調整剤）を含有し残部が水からなるシャンプーが記載されている。
　そこで、本件発明１と刊行物２の実施例７に記載された発明とを対比すると、本件発明１は、スポンジにつけて使用する台所用液体洗浄剤組成物であり、外観が不透明で、液温２０℃における粘度が２００〜４０００ｃｐｓ、ブルックフィールド降伏値が５〜１００ｐであるのに対して、刊行物２の実施例７記載のものは、シャンプーである点、及び透明度、２０℃における粘度、ブルックフィールド降伏値が不明である点で相違する。
　それらの相違する点を検討する。
　ア．刊行物２には、「本発明の液状洗浄剤組成物は、シャンプー組成物、食器用洗浄剤、液体スキンクレンザーなどとして使用される」（第４頁左下欄１９行〜同頁右下欄１行）との記載もあるが、本件発明１に相当する実施例７のものは、シャンプーである。
　そして、刊行物３ないし６の記載をみても、シャンプーを、スポンジにつけて使用する台所用液体洗浄剤として用いることは、当業者が普通になし得ることとはいえない。
　イ．異議申立人ライオン株式会社は、実験成績証明書において、透明度、２０℃における粘度、ブルックフィールド降伏値に関して、刊行物２記載の実施例７の組成に従って液体洗浄剤組成物を調製し、透明度、２０℃における粘度、ブルックフィールド降伏値を測定したところ、本件発明１で規定する範囲であったとしている。
　しかし、このような液体洗浄剤においては、調製手段に応じて、多種・多様の物性値のものが得られるというのが自然であり、刊行物２の実施例７に記載の発明は、本件発明１のように、スポンジに液を取った時に液がすぐにしみ込まず、スポンジ上にある程度保持され、更に液が不透明な外観を呈している為、スクイズ量を視認し易く、使いすぎることがない経済的な台所用液体洗浄剤組成物を得ることを技術課題とするものではないから、上記実験成績証明書には、ある条件下では、刊行物２の実施例７記載の組成が、本件発明１の上記物性値を有することもあることが示されるにすぎず、本件発明１をみたうえでの追試程度の意味しか持たないものである。
　また、刊行物３ないし６には、パール化剤を使用してパール光沢を付与するようにしたシャンプーが記載されているが、本件発明１の上記技術課題を示唆する記載がないから、刊行物２に記載された発明に刊行物３ないし６記載のパール化剤の使用を組み合わせても、本件発明１が導き出されるものとはいえない。
　そして、本件発明１では、全ての構成を採用することにより、前述のスポンジに液を取った時に液がすぐにしみ込まず、スポンジ上にある程度保持され、更に液が不透明な外観を呈している為、スクイズ量を視認し易く、使いすぎることがない経済的な台所用液体洗浄剤組成物が得られる効果は格別なものと認められる。
　したがって、本件発明１は、刊行物２ないし６に記載された発明に基づいて当業者が容易に発明をすることができたものとはいえない。
　［本件発明２について］
　本件発明２は、成分（ｂ）を本件発明１の（ｂ−３）記載のグリセリンと炭素数１６〜２４の長鎖飽和脂肪酸との部分エステルに限定する発明であるから、本件発明１と同じことがいえる。
　したがって、本件発明２は、刊行物２ないし６に記載された発明に基づいて当業者が容易に発明をすることができたものとはいえない。
　［本件発明３について］
　本件発明３は、本件発明１について、更に（ａ）界面活性剤を特定すると共に、（ａ）ないし（ｃ）成分の配合割合を限定するものであるから、本件発明１と同じことがいえる。
　したがって、本件発明３は、刊行物２ないし６に記載された発明に基づいて当業者が容易に発明をすることができたものとはいえない。
IV．むすび
　以上のとおりであるから、特許異議の申立ての理由及び証拠によっては本件発明１ないし３に係る特許を取り消すことができない。
　また、他に本件発明１ないし３に係る特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年７月２４日（２００３．７．２４）
【訂正の要旨】
審決（決定）の【理由】欄参照。
（５４）【発明の名称】
液体洗浄剤組成物
（５７）【特許請求の範囲】
　【請求項１】　（ａ）界面活性剤、（ｂ）（ｂ−１）次の一般式（１）で表わされる構造を有し、融点３０℃以上の化合物
　【化１】
〔式中、Ｒ１は炭素数１５〜２３のアルキル基又はアルケニル基を示し、Ａは炭素数１６〜２４の脂肪族アシル基又は水素原子を示し、ｎは１〜３の数を示す〕（ｂ−２）次の一般式（２）で表わされる構造を有し、融点３０℃以上の化合物
　【化２】
〔式中、Ｒ１は炭素数１５〜２３のアルキル基又はアルケニル基を示し、Ｂは−ＣＨ２ＣＨ２ＯＨ、−ＣＨ２ＣＨ（ＣＨ３）ＯＨ、又は−ＣＨ２ＣＨ２ＣＨ２ＯＨを示す〕
（ｂ−３）グリセリン、ポリグリセリン（縮合度２〜１０）、ソルビトール、ペンタエリスリトール、グルコース、フルクトース、マルトース及びスクロースから選ばれる水酸基含有化合物と炭素数１６〜２４の長鎖飽和脂肪酸との部分エステルであって、３０℃以上の融点を有する化合物から選ばれる一種又は二種以上のパール化剤、及び（ｃ）粘度調整剤を含有し、外観が不透明で、液温２０℃における粘度が２００〜４０００ｃｐｓ、ブルックフィールド降伏値が５〜１００ｐである、
スポンジにつけて使用する台所用
　【請求項２】　成分（ｂ）が、グリセリンと炭素数１６〜２４の長鎖飽和脂肪酸との部分エステルであって、３０℃以上の融点を有する化合物である請求項１記載の液体洗浄剤組成物。
　【請求項３】　（ａ）（
ｉ）ポリオキシエチレン（平均付加モル数＝２〜５）アルキル又はアルケニル（Ｃ１０〜Ｃ１８）エーテル硫酸塩と、炭素数１０〜１８のアルキル基又はアルケニル基を有する第３級アミンオキサイドとの組み合わせ、および（ｉｉ）直鎖アルキル又はアルケニル（Ｃ８〜Ｃ１８）ベンゼンスルホン酸塩と、ポリオキシエチレン（平均付加モル数＝２〜５）アルキル又はアルケニル（Ｃ１０〜Ｃ１８）エーテル硫酸塩と、脂肪酸（Ｃ１０〜Ｃ１８）ジエタノールアミドとの組み合わせ、から選ばれた
【発明の詳細な説明】
　【０００１】
　【産業上の利用分野】
　本発明は液体洗浄剤組成物に関し、更に詳細には、スポンジに液を取った時に液がすぐにしみ込まず、スポンジ上にある程度保持され、更に液が不透明な外観を呈している為、スクイズ量を視認し易く、使いすぎることがない経済的な台所用液体洗浄剤組成物に関する。
　【０００２】
　【従来の技術】
　台所用洗浄剤の使用方法には、流しのシンク、あるいは洗い桶に薄めに液を作っておき、食器を中に浸けて洗う方法と、直接原液をスポンジにつけて食器を洗う方法があるが、一般的には後者の洗浄方法で使用されるとこが多い。
　【０００３】
　従来の台所用液体洗浄剤の多くは、透明な外観を有しているが、容器から押し出した時にそのスクイズ量を視認し難いという欠点があった。一方、不透明な外観を有する液体洗浄剤もあるが、当該洗浄剤は容器から取り出し易さを考慮してその粘度が比較的低く調整されているため、スポンジに直接液を取った時、液がすぐにスポンジ中にしみ込んでしまい、やはりスクイズ量を視認し難いという欠点があった。このように従来の液体洗浄剤はスクイズ量が視認し難いため、その使用量が一定せず、必要量以上に使用してしまい、不経済であるばかりでなく、手荒れの原因ともなっていた。
　【０００４】
　【発明が解決しようとする課題】
　従って本発明の目的は、スクイズ量が容易に視認でき、使用量を一定にすることのできる液体洗浄剤組成物を提供することにある。
　【０００５】
　【課題を解決するための手段】
　かかる実情において、本発明者らは、液体洗浄剤の外観、容器から取り出した時の物性等について鋭意検討した結果、界面活性剤にパール化剤及び粘度調整剤を配合し、その粘度だけでなく、ブルックフィールド降伏値が一定の範囲内にある組成物が、外観が不透明であり、かつスポンジに取ったとき直ちにしみこまずスクイズ量を視認できていつも所定量の液体洗浄剤を取り出すことができ、かつ容器から取り出しにくい等の不都合がないことを見出し、本発明を完成するに至った。
　【０００６】
　すなわち、本発明は、（ａ）界面活性剤、（ｂ）（ｂ−１）次の一般式（１）で表わされる構造を有し、融点３０℃以上の化合物
　【化３】
〔式中、Ｒ１は炭素数１５〜２３のアルキル基又はアルケニル基を示し、Ａは炭素数１６〜２４の脂肪族アシル基又は水素原子を示し、ｎは１〜３の数を示す〕（ｂ−２）次の一般式（２）で表わされる構造を有し、融点３０℃以上の化合物
　【化４】
〔式中、Ｒ１は炭素数１５〜２３のアルキル基又はアルケニル基を示し、Ｂは−ＣＨ２ＣＨ２ＯＨ、−ＣＨ２ＣＨ（ＣＨ３）ＯＨ、又は−ＣＨ２ＣＨ２ＣＨ２ＯＨを示す〕
（ｂ−３）グリセリン、ポリグリセリン（縮合度２〜１０）、ソルビトール、ペンタエリスリトール、グルコース、フルクトース、マルトース及びスクロースから選ばれる水酸基含有化合物と炭素数１６〜２４の長鎖飽和脂肪酸との部分エステルであって、３０℃以上の融点を有する化合物から選ばれる一種又は二種以上のパール化剤、及び（ｃ）粘度調整剤を含有し、外観が不透明で、液温２０℃における粘度が２００〜４０００ｃｐｓ、ブルックフィールド降伏値が５〜１００ｐである
スポンジにつけて使用する台所用
　【０００７】
　本発明に用いられる界面活性剤（ａ）としては特に制限されず、陰イオン界面活性剤、非イオン界面活性剤、両性界面活性剤等のいずれも挙げることができる。
　【０００８】
　そのうち、陰イオン界面活性剤として好適なものとしてはポリオキシエチレン（平均付加モル数＝２〜５）アルキル又はアルケニル（Ｃ１０〜Ｃ１８）エーテル硫酸塩、直鎖アルキル又はアルケニル（Ｃ８〜Ｃ１８）ベンゼンスルホン酸塩、α−スルホ脂肪酸（Ｃ１０〜Ｃ１８）エステル塩、α−オレフィン（Ｃ１０〜Ｃ１８）スルホン酸塩アルカン（Ｃ１０〜Ｃ１８）スルホン酸塩、アルキル又はアルケニル（Ｃ１０〜Ｃ１８）硫酸塩、モノアルキル又はアルケニル（Ｃ１０〜Ｃ１８）リン酸塩等が挙げられる。なお、塩としてはアルカリ金属塩、アルカリ土類金属塩、アンモニウム塩、アルカノールアミン塩等が挙げられる。
　【０００９】
　また、非イオン界面活性剤として好適なものとしてはポリオキシエチレン（平均付加モル数＝３〜３０）アルキル又はアルケニル（Ｃ１０〜Ｃ１８）エーテル、ポリオキシエチレン（平均付加モル数＝３〜３０）アルキル又はアルケニル（Ｃ８〜Ｃ１８）フェニルエーテル、ポリオキシエチレン（平均付加モル数＝３〜３０）ポリオキシプロピレン（平均付加モル数＝１〜２０）アルキル又はアルケニル（Ｃ１０〜Ｃ１８）エーテル、ポリオキシエチレン（平均付加モル数＝３〜３０）ソルビタン脂肪酸（Ｃ１０〜Ｃ１８）エステル、ポリオキシエチレン（平均付加モル数＝３〜６０）ソルビット脂肪酸（Ｃ１０〜Ｃ１８）エステル、脂肪酸（Ｃ１０〜Ｃ１８）ジエタノールアミド等が挙げられる。
　【００１０】
　両性界面活性剤としては、炭素数１０〜１８のアルキル基又はアルケニル基を有する第３級アミンオキサイド、炭素数１０〜１８のアルキル基又はアルケニル基を有するカルボベタイン、炭素数１０〜１８のアルキル基又はアルケニル基を有するスルホベタイン、炭素数１０〜１８のアルキル基又はアルケニル基を有するイミダゾリニウムベタイン等が挙げられる。
　【００１１】
　本発明の液体洗浄剤組成物において、上記界面活性剤は単独で又は２種以上を混合して用いてもよく、配合量は１〜４０重量％（以下、単に％で示す）、更に１０〜４０％、特に１５〜３５％が好ましい。この配合量が１％未満では洗浄剤本来の基本的な洗浄力・起泡力が不充分であり、４０％を超えると液体洗浄剤の粘度が著しく増加する、溶液安定性が悪化する等の理由で好ましくない。
　【００１２】
　また、本発明に用いられるパール化剤（ｂ）は、融点が３０℃以上の水に不溶性の物質であって、上記の（ｂ−１）、（ｂ−２）及び（ｂ−３）で示される化合物である。
　【００１３】
　【００１４】
　【００１５】
　【００１６】
　【００１７】
　【００１８】
　【００１９】
　上記（ｂ−１）の例としては、エチレングリコールモノステアリン酸エステル、エチレングリコールジステアリン酸エステル、ジエチレングリコールモノステアリン酸エステル、ジエチレングリコールジステアリン酸エステル等が挙げられる。（ｂ−２）の例としては、ステアリン酸モノエタノールアミド、ベヘン酸モノエタノールアミド、硬化牛脂脂肪酸モノエタノールアミド、硬化パーム油脂肪酸モノエタノールアミド等が挙げられる。（ｂ−３）の例としては、グリセリンと長鎖脂肪酸との部分エステルが好ましいものとして挙げられ、就中、特に脂肪酸残基の炭素数が１６〜２４であり、かつ、モノグリセライド含有率が７５％以上であるものが好ましい。かかるグリセリン脂肪酸エステルの例としては、グリセリンとステアリン酸、ベヘン酸、硬化ラード脂肪酸、硬化ナタネ油脂肪酸、硬化パーム油脂肪酸等の長鎖脂肪酸とのエステルが挙げられる。
　【００２０】
　これらパール化剤（ｂ）の配合量は、本発明液体洗浄剤組成物を不透明とし、他の必須成分と相俟ってその粘度及びブルックフィールド降伏値を前記の範囲に調整できる量であれば特に制限されないが、０．５〜２０％、特に１〜１０％が好ましい。パール化剤の配合量が０．５％未満では不透明度が不足し、一方２０％を超えると溶液安定性が悪化するため好ましくない。なお、これらのパール化剤（ｂ）は単独で、又は二種以上を混合して用いることができる。
　【００２１】
　本発明の液体洗浄剤組成物はその外観が不透明であることが必要であって、その不透明度は、液温２０℃において光路長１ｃｍにおける波長４２０ｎｍの可視光の透過率が１％以下であることが好ましい。
　【００２２】
　また、本発明液体洗浄剤組成物の液温２０℃における粘度は２００〜４０００ｃｐｓであり、ブルックフィールド降伏値は５〜１００ｐであることが必要であるが、好ましい粘度は２００〜１０００ｃｐｓであり、好ましいブルックフィールド降伏値は５〜５０ｐである。粘度及びブルックフィールド降伏値が低すぎると、スポンジに洗浄剤をスクイズした時にすぐしみこんでしまい、スクイズ量を視認し難く、一方、これらの値が高すぎると、粘性が高すぎて洗浄剤を容器から出しにくくなるため好ましくない。
　【００２３】
　このような粘度及びブルックフィールド降伏値を得るためには、成分（ｂ）と成分（ａ）の重量比〔（ｂ）／（ａ）〕は０．０５〜１であるのが好ましい。
　【００２４】
　本発明で使用される粘度調整剤（ｃ）としては、増粘剤として部分架橋ポリアクリル酸、ヒドロキシエチルセルロース、カルボキシメチルセルロース、キサンタンガム、モンモリロナイト、ヘクトライト、サポナイト、バーミキュライト、ノントライト、ザウコナイト、ラポナイト等が；また減粘剤としてエタノール、プロパノール、イソプロパノール、エチレングリコール、プロピレングリコール、ポリエチレングリコール（分子量＝３００〜４０００）、ポリプロピレングリコール（分子量＝３００〜２０００）、グリセリン、ポリグリセリン（縮合度２〜１０）、ソルビトール、ペンタエリスリトール、ベンゼンスルホン酸塩、低級アルキル（Ｃ１〜Ｃ４）ベンゼンスルホン酸塩等が挙げられる。これらの粘度調整剤は、本発明液体洗浄剤組成物中に０．１〜１０％、特に０．１〜８％配合するのが好ましい。
　【００２５】
　本発明の液体洗浄剤組成物には、上記成分の他、目的とする効果を損なわない範囲で、必要に応じて種々の成分、例えば、香料、色素、顔料、防腐・防黴剤、ｐＨ調整剤等を配合することができる。
　【００２６】
　本発明の液体洗浄剤組成物を調製するには常法に従い、上記成分を室温又は加熱下に混合・攪拌し、粘度及びブルックフィールド降伏値を調整すればよい。
　【００２７】
　かくして得られた本発明液体洗浄剤組成物の用途は、台所用、家庭用等であり、例えば食器、調理器具、浴室、床、壁、ガラス、家具、便器、野菜、果物等の洗浄に適している。
　【００２８】
　【発明の効果】
　本発明の液体洗浄剤組成物は、スポンジに取ったとき直ちにしみこまずスクイズ量を容易に視認できていつも所定量の液体洗浄剤を取り出せ、かつ容器から取り出し易いため、使用量が過剰にならず経済的に使用できると共に手荒れ等を引きおこすことが少ない。
　【００２９】
　【実施例】
　次に実施例によって本発明を更に具体的に説明するが、本発明はこれらの実施例によって限定されるものではない。まず、実施例で採用した試験法について説明する。
　【００３０】
（１）透明度
　試料をガラス製１ｃｍセルに入れ、波長４２０ｎｍにおける透過率を、イオン交換水を対照液として、ダブルビーム式分光光度計にて測定した。
（２）粘度
　試料を粘度ビーカーに入れ、恒温水槽中で２０℃に保持し、ＢＭ型粘度計（ローターＮｏ．３、２０００センチポイズを超える時はローターＮｏ．４；回転数６０ｒｐｍ）を用いて測定した。
（３）ブルックフィールド降伏値
　試料を粘度ビーカーに入れ、恒温水槽中で２０℃に保持し、Ｂ８Ｈ型粘度計を使用し、ローターＮｏ．３で回転数０．５ｒｐｍ、及び回転数１ｒｐｍにおける見掛けの粘度を測定し、下式により求めた。
　【００３１】
　【数１】
　【００３２】
（４）スクイズ性、視認性
　市販の台所用洗剤の容器（容量３５０ｍｌ、プッシュプルキャップ付き）に試料を入れ、市販のスポンジ（ポリウレタンフォーム）上に約５ｇスクイズし、スクイズ性（液の出しやすさ）及びスポンジ上での液量の視認性を下記の判断基準により判定した。
（スクイズ性）
○：出しやすい×：出し難い（視認性）
○：液量がはっきりわかる。
×：すぐにしみ込んでしまい液量がわからない（５）計量性市販の台所用洗剤の容器（容量３５０ｍｌ、ブッシュプルキャップ付き）に試料を３５０ｇ入れ、家庭の主婦１０人に、直接原液２０ｇをスポンジに各々３回ずつスクイズしてもらい、そのスクイズ量のばらつきを調べた。
　【００３３】
　実施例１表１に示す洗浄剤組成物を調製し、上記（１）〜（５）の評価を行った。結果を表１に示した。
　【００３４】
　【表１】
　【００３５】
実施例２
　表２に示す洗浄剤組成物を調製し、上記（１）〜（５）の評価を行った。結果を表２に示した。
　【００３６】
　【表２】
　【００３７】
　実施例１〜２に示すように、不透明、粘度及びブルックフィールド降伏値のすべてが本発明の範囲にある場合にのみ、上記（１）〜（５）の評価をすべて満足することがわかる。